(57)【要約】船の所望する場所に容易に設置することができると共に、設置した場所で、少なくとも温水を利用してシャワーができる。海水淡水化装置を手押し式台車又はキャスターのいずれかを介して移動可能な筐体に設け、また、飲料水貯留部の下流側に送水ポンプを介して飲料水を軟水化する軟水生成部と、この軟水生成部に方向制御弁を介して第１出口部に軟水を送る軟水供給ラインと、軟水を温水にする加熱部を有しかつ該加熱部の温水を第２出口部に送るシャワー用の温水供給ラインをそれぞれ設け、さらに、海水淡水化装置は、高圧ポンプ、送水ポンプ、方向制御弁をそれぞれ制御する制御部を有する船用海水淡水化装置。
2019150424.tif 000002
【特許請求の範囲】
【請求項１】
船から海水を汲み上げる取水ポンプを介して該海水を濾過する最初の浄水処理部と、この最初の浄水処理部で処理された一次処理水を、高圧ポンプを介して淡水化する淡水生成部と、この淡水生成部で淡水にされた二次処理水を飲料水として貯める飲料水貯留部を備える船用海水淡水化装置に於いて、
前記海水淡水化装置を手押し式台車又はキャスターのいずれかを介して移動可能な筐体に設け、また、前記飲料水貯留部の下流側に送水ポンプを介して前記飲料水を軟水化する軟水生成部と、この軟水生成部に方向制御弁を介して第１出口部に軟水を送る軟水供給ラインと、軟水を温水にする加熱部を有しかつ該加熱部の温水を第２出口部に送るシャワー用の温水供給ラインをそれぞれ設け、さらに、前記海水淡水化装置は、前記高圧ポンプ、送水ポンプ、方向制御弁をそれぞれ制御する制御部を有することを特徴とする船用海水淡水化装置。
【請求項２】
請求項１の船用海水淡水化装置に於いて、前記筐体は、高圧ポンプ及び淡水生成部、飲料水貯留部、軟水生成部及び加熱部が設けられたケース本体と、このケース本体に開閉自在に設けられた蓋体とから成り、前記淡水生成部の逆浸透膜手段は、少なくとも２個有していることを特徴とする船用海水淡水化装置。
【請求項３】
請求項２の船用海水淡水化装置に於いて、前記蓋体の上面には操作ボタンと表示ランプがそれぞれ設けられ、一方、前記ケース本体の後壁側には、前記淡水生成部の逆浸透膜手段が上下方向に略重なるように設けられていることを特徴とする船用海水淡水化装置。
【請求項４】
請求項１の船用海水淡水化装置に於いて、前記淡水生成部と前記飲料水貯留部との間には二次処理水の方向を変える切り替弁が設けられ、この切り替弁の一方出口には前記淡水生成部で処理された前記飲料水を前記飲料水貯留部に送る供給管が接続し、この切り替弁の他方向出口には前記淡水生成部から流れ出る洗浄水を排出することができる排出管が接続していることを特徴とする船用海水淡水化装置。
【請求項５】
請求項１の船用海水淡水化装置に於いて、前記シャワー用の温水供給ラインの第２出口部には温水用蛇口が設けられ、この温水用蛇口にはシャワーヘッドを有する可撓性ホースの基端部が一体的に取付けられていることを特徴とする船用海水淡水化装置。
【請求項６】
請求項６の船用海水淡水化装置に於いて、前記シャワーヘッド或いは可撓性ホースの一部を掛けることができるように配管の一部がケース本体の一側壁から間隙を有する状態で突出していることを特徴とする船用海水淡水化装置。
【請求項７】
請求項１の船用海水淡水化装置に於いて、前記筐体には蓄電池が配設され、この蓄電池は、少なくとも船に設置された太陽電池モジュール又は発電機のいずれか一方から電気を取得することを特徴とする船用海水淡水化装置。
【請求項８】
請求項１の船用海水淡水化装置に於いて、前記淡水生成部に飲料水を洗浄水として貯留することが可能な逆浸透膜洗浄処理部を接続し、所定或いは所要の時期に、前記淡水生成部の複数の逆浸透膜手段を、制御弁及び洗浄ポンプを介して自動的に洗浄することを特徴とする船用海水淡水化装置。
【請求項９】
請求項１の船用海水淡水化装置に於いて、軟水生成部の下流側には最後の浄水処理部が設けられていることを特徴とする船用海水淡水化装置。
【発明の詳細な説明】
【技術分野】
【０００１】
本発明は船用海水淡水化装置に関する。
【背景技術】
【０００２】
特許文献１の発明の課題は、低コスト化、軽量化を可能にし、設置スペースを小さくできる船用海水淡水化装置を提供することである。この課題を解決する手段は、「中圧タイプのモジュール１６の下流側に一方の端部を接続し、生活機器に他方の端部を接続した第１の搬送管１８と、第１の搬送管と取水管１２とにそれぞれ方向制御弁（３６、３８）を介して接続された第２の搬送管２０と、第２の搬送管に組み込まれたサブタンク２２と、第１の搬送管に方向制御弁４０を介して接続された第３の搬送管２４と、第３の搬送管に接続された飲用水タンク２６とを含む。モジュールに一度通した水を生活機器に導き、モジュールに二度通した水を飲用水タンクに導くように形成すること」である（符号は特許文献１のもの）。【０００３】
したがって、特許文献１の発明は、処理水をシャワーや風呂に使用する場合、モジュールから第１の搬送管に流出する、いわゆる一次処理水をそのまま生活機器に導くことができる。一方、前記水を飲用に使用する場合、モジュールから第１の搬送管に流出する一次処理水をサブタンクに導き、飲用水タンクの上流側に残っている一次処理水をサブタンクに導く。その後、サブタンクからの水がモジュールから流出する二次処理水を飲用水タンクに導き、該飲用水タンク２６から飲料水を得ることができる。【０００４】
上記構成の船用海水淡水化装置は、単一かつ中圧タイプのモジュール（逆浸透膜手段）を使用することから、低コスト化が可能である。その結果、軽量化できる、設置スペースを小さくすることができる等の利点がある。【０００５】
しかしながら、特許文献１の発明は、船用海水淡水化装置を「何に設けるか不明である点」、「逆浸透膜手段が単一である点」、「海水を軟水化することができない点」、「処理水を加熱する加熱部を有していない点」、また「加熱部を有するとすれば何処に設けるのか不明である点」、「逆浸透膜手段を自動洗浄できない点」等で問題点があり、設置した場所で、飲料水の取得のみならず、少なくとも温水を利用してシャワーができること、処理水を軟水化することができること、逆浸透膜手段を長い間使用することができること、使い勝手が良いこと、極力メンテナンスを不要にすること等の観点から幾つか改良すべき点があった。
【特許文献１】特開平５−１５８７７号公報
【発明の開示】
【発明が解決しようとする課題】
【０００６】
本発明の主たる課題は、特許文献１の問題点に鑑み、船の所望する場所に容易に設置することができると共に、設置した場所で、飲料水の取得のみならず温水を利用してシャワーができることである。また処理水を軟水化し、美味しい飲料水を得ることができることある。本発明の二次的な目的は、逆浸透膜手段を長い間使用することができる、使い勝手が良い、逆浸透膜手段の自動ローテンションを可能にすること、極力メンテナンスを不要にすること等である。【０００７】
本発明の前記ならびにそのほかの課題と新規な特徴は、次の説明を添付図面と照らし合わせて読むと、より完全に明らかになるであろう。ただし、図面はもっぱら解説のためのものであって、本発明の技術的範囲を限定するものではない。
【課題を解決するための手段】
【０００８】
本発明の船用海水淡水化装置は、船から海水を汲み上げる取水ポンプを介して該海水を濾過する最初の浄水処理部と、この最初の浄水処理部で処理された一次処理水を、高圧ポンプを介して淡水化する淡水生成部と、この淡水生成部で淡水にされた二次処理水を飲料水として貯める飲料水貯留部を備える船用海水淡水化装置に於いて、前記海水淡水化装置を手押し式台車又はキャスターのいずれかを介して移動可能な筐体に設け、また、前記飲料水貯留部の下流側に送水ポンプを介して前記飲料水を軟水化する軟水生成部と、この軟水生成部に方向制御弁を介して第１出口部に軟水を送る軟水供給ラインと、軟水を温水にする加熱部を有しかつ該加熱部の温水を第２出口部に送るシャワー用の温水供給ラインをそれぞれ設け、さらに、前記海水淡水化装置は、前記高圧ポンプ、送水ポンプ、方向制御弁をそれぞれ制御する制御部を有することを特徴とする。【０００９】
上記構成に於いて、前記筐体は、高圧ポンプ及び淡水生成部、飲料水貯留部、軟水生成部及び加熱部が設けられたケース本体と、このケース本体に開閉自在に設けられた蓋体とから成り、前記淡水生成部の逆浸透膜手段は、少なくとも２個有していることを特徴とする。また、前記蓋体の上面には操作ボタンと表示ランプがそれぞれ設けられ、一方、前記ケース本体の後壁側には、前記淡水生成部の逆浸透膜手段が上下方向に略重なるように設けられていることを特徴とする。また、前記淡水生成部と前記飲料水貯留部との間には二次処理水の方向を変える切り替弁が設けられ、この切り替弁の一方出口には前記淡水生成部で処理された前記飲料水を前記飲料水貯留部に送る供給管が接続し、この切り替弁の他方向出口には前記淡水生成部から流れ出る洗浄水を排出することができる排出管が接続していることを特徴とする。また、シャワー用の温水供給ラインの第２出口部には温水用蛇口が設けられ、この温水用蛇口にはシャワーヘッドを有する可撓性ホースの基端部が一体的に取付けられていることを特徴とする。また、前記シャワーヘッド或いは可撓性ホースの一部を掛けることができるように配管の一部がケース本体の一側壁から間隙を有する状態で突出していることを特徴とする。また前記筐体には蓄電池が配設され、この蓄電池は、少なくとも船に設置された太陽電池モジュール又は発電機のいずれか一方から電気を取得することを特徴とする。さらに、前記淡水生成部に飲料水を洗浄水として貯留することが可能な逆浸透膜洗浄処理部を接続し、所定或いは所要の時期に、前記淡水生成部の複数の逆浸透膜手段を、制御弁及び洗浄ポンプを介して自動的に洗浄することを特徴とする。加えて、軟水生成部の下流側には最後の浄水処理部が設けられていることを特徴とする。【００１０】
なお、ここで「略重なる」とは、複数の逆浸透膜手段が横方向或いは傾斜方向に平行に配設され、一方の逆浸透膜手段が他方の逆浸透膜手段に対して密着状態或いは間隙を有して配設されていることを言う。
【発明の効果】
【００１１】
（ａ）請求項１に記載の発明は、海水淡水化装置を手押し式台車又はキャスターのいずれかを介して移動可能な筐体に設け、さらに、飲料水貯留部の下流側に送水ポンプを介して飲料水を軟水化する軟水生成部と、この軟水生成部に方向制御弁を介して第１出口部に軟水を送る軟水供給ラインと、軟水を温水にする加熱部を有しかつ該加熱部の温水を第２出口部に送るシャワー用の温水供給ラインをそれぞれ設けているので、海水淡水化装置を船の所望する場所に容易に設置することができると共に、設置した場所で、飲料水の取得のみならず温水を利用してシャワーを浴びることができる。また軟水生成部を有しているので、飲料水貯留部に貯留している飲料水を軟水化し、美味しい水を得ることができる。
（ｂ）請求項２に記載の発明は、筐体は、高圧ポンプ及び淡水生成部、飲料水貯留部、軟水生成部及び加熱部が設けられたケース本体と、このケース本体に開閉自在に設けられた蓋体とから成り、前記淡水生成部の逆浸透膜手段は、少なくとも２個を有しているので、逆浸透膜手段を長い間使用することができる。
（ｃ）請求項３に記載の発明は、前記蓋体の上面には操作ボタンと表示ランプがそれぞれ設けられ、一方、前記ケース本体の後壁の外壁面には、前記淡水生成部の逆浸透膜手段が上下方向に略重なるように設けられているので、使い勝手が良いと共に、装置をコンパクト化して設置スペースを少なくすることができる。
（ｄ）請求項４に記載の発明は、淡水生成部と飲料水貯留部との間には二次処理水の方向を変える切り替弁が設けられ、この切り替弁の一方出口には前記淡水生成部で処理された飲料水を前記飲料水貯留部に送る供給管が接続し、この切り替弁の他方向出口には前記淡水生成部から流れ出る洗浄水を排出することができる排出管が接続しているので、淡水生成部の逆浸透膜手段を洗浄することができる。
（ｅ）請求項５に記載の発明は、シャワー用の温水供給ラインの第２出口部には温水用蛇口が設けられ、この温水用蛇口にはシャワーヘッドを有する可撓性ホースの基端部が一体的に取付けられているので、請求項１の効果を確実にすることができる。
（ｆ）請求項６に記載の発明は、シャワーヘッド或いは可撓性ホースの一部を掛けることができるように配管の一部がケース本体の一側壁から間隙を有す状態で突出しているので、非常に使い勝手が良い。
（ｇ）請求項７に記載の発明は、筐体には蓄電池が配設され、この蓄電池は、少なくとも船に設置された太陽電池モジュール又は発電機のいずれか一方から電気を取得するので、実用性に優れている。
（ｈ）請求項８に記載の発明は、淡水生成部に飲料水を洗浄水として貯留することが可能な逆浸透膜洗浄処理部を接続し、所定或いは所要の時期に、前記淡水生成部の複数の逆浸透膜手段を、制御弁及び洗浄ポンプを介して自動的に洗浄するので、逆浸透膜手段の自動ローテンションを可能にすることができると共に、極力メンテナンスを不要にすることができる。
（ｉ）請求項９に記載の発明は、軟水生成部の下流側には最後の浄水処理部が設けられているので、可能な限り「美味しく」かつ「完全な水」を得ることができる。
【図面の簡単な説明】
【００１２】
図１乃至図３は本発明の第１実施形態を示す各説明図。図４は本発明の第２実施形態の説明図。
【図１】装置の全体をブロック等で示した概略説明図。
【図２】装置の外観構成を斜視から見た説明図。
【図３】装置の蓋体を開いた概略説明図。
【図４】他の構成を加味した第２実施形態の説明図。
【符号の説明】
【００１３】
Ｘ…船用海水淡水化装置、                    １…筐体、
２…自在キャスター、                          ３…取水ポンプ、  
４…最初の浄水処理部、                        ５…高圧ポンプ、                
６…淡水生成部、                              ６ａ、６ｂ…逆浸透膜手段、
７…切り替弁、                                ８…供給管、
９…飲料水貯留部、                            １０…排出管、
１１…送水ポンプ、                            １２…軟水生成部、
１３…方向制御弁、                            １４…第１出口部、
１５…加熱部、                                １６…第２出口部、
１７…蓄電池、                                １８…制御部、
１９…インバータ、                            ２０…コンバータ、
２１…操作ボタン、                            ２２…表示ランプ、
２４…可撓性ホース、                          ２４ａ…シャワーヘッド、
２５…浴槽、
３０…逆浸透膜洗浄処理部、                    ３１…洗浄液貯留タンク、
３２…洗浄ポンプ、  ３６…最後の浄水処理部、ａ、ｂ…制御弁。
Ｌ１…軟水供給ライン（配管）、Ｌ２…温水供給ライン（配管）。
【発明を実施するための形態】
【００１４】
まず、図１乃至図３を参照にして、本発明の第１実施形態の船用海水淡水化装置Ｘの構成部材を説明する。１は横長矩形状の底壁の下面の四隅に複数（例えば４個）の自在キャスター２を有する筐体で、この筐体１は、例えば後述する高圧ポンプ５及び淡水生成部６、飲料水貯留部９、軟水生成部１２及び加熱部１５が内外に設けられた横長状のケース本体１ａと、このケース本体の上端部に開閉自在に設けられた端面「へ」の字状の蓋体１ｂとから成る。
【００１５】
前記淡水生成部６の逆浸透膜手段は、少なくとも２本の高圧タンクと、これらの高圧タンクにそれぞれ内装されたＲＯ膜とを有し、前記各高圧タンクは略平行に設けられている。付言すると、実施形態では、前記蓋体１ｂの上面、実施形態では斜面壁の略中央部には、水平方向に複数の操作ボタン２１と表示ランプ２２がそれぞれ設けられ、一方、前記ケース本体１ｂの後壁の外壁面には前記淡水生成部６を構成する逆浸透膜手段６ａ、６ｂが上下方向に略重なるように併設されている。
【００１６】
次に３は海水を汲み上げる取水ポンプで、この取水ポンプ３は、後述の蓄電池１７と接続する制御部１８からの制御信号によってその駆動が制御される。好ましくは、前記取水ポンプ３はインバータ１９を有する前記制御部１８から送られる交流を直流に変換するコンバータ２０を介して駆動する。
【００１７】
次に４は取水ポンプ３に不番の取水管を介して接続する最初の浄水処理部で、この最初の浄水処理部４は海水の不純物を取り除くフイルターとしての機能を有する。実施形態では、第１処理タンクと、この第１処理タンクに充填された粒状の活性炭、細かな石、砂、等を用いている。
【００１８】
次に５は最初の浄水処理部４に接続し、かつ、該最初の浄水処理部４で濾過された一次処理水を圧送する高圧ポンプである。高圧ポンプ５は制御部１８からの制御信号によってその駆動が制御される。好ましくは、高圧ポンプ５は前述したインバータ１９からの交流によって駆動する。
【００１９】
次に６は高圧ポンプ５に接続し、実施形態では２個の逆浸透膜手段６ａ、６ｂを左右又は上下方向に有する淡水生成部で、この淡水生成部６は前記高圧ポンプ５から圧送されてくる一次処理水（海水かつ硬水）を前記２個の逆浸透膜手段６ａ、６ｂを選択的に利用して純水な淡水にする。この淡水は、実施形態では飲料水としての二次処理水に相当する。
【００２０】
次に７は淡水生成部６と単数又は複数の水位センサーＳを備えた飲料水貯留部９との間に設けられ、かつ、二次処理水（飲料水）の方向を変える切り替弁である。この切り替弁７の一方出口には前記淡水生成部６で処理された飲料水を飲料水貯留部９に送る供給管８が接続し、一方、この切り替弁７の他方向出口には淡水生成部６から流れ出る洗浄水を排出する排出管１０が接続している。
【００２１】
後者の洗浄水に関し、逆浸透膜手段６ａ、６ｂを洗浄する際には、例えばケース本体１ａの外に配置した洗浄ポンプに接続する洗浄ホースの自由端部を高圧タンクの一次側（吸引口）に自在継手を介して連結し、かつ、気泡供給手段（エジェクタ）を利用し、気泡と共に洗浄水を高圧タンクに送り込む。この時、切り替弁７は他方向出口に切替られ、前記洗浄水は切り替弁７を介して排出管１０から排出される。
【００２２】
なお、前記高圧タンクの洗浄は、主管に接続する戻り管に単数又は複数の制御弁を設け、前記制御弁を制御部１８で制御することにより、二次処理水を利用して自動的に洗浄できるように構成しても良い（第２実施形態、図４参照）。
【００２３】
次に１１は飲料水貯留部９の下流側の配管に設けられた送水ポンプで、この送水ポンプ１１は前記飲料水貯留部９内の飲料水を下流側の軟水生成部１２に圧送する。この送水ポンプ１１も高圧ポンプ５と同様に制御部からの制御信号により制御されると共に、インバータ１９からの交流によって駆動する。
【００２４】
前記軟水生成部１２は前記送水ポンプ１１で送られてきた飲料水を軟水にする。軟水生成部１２は、再生用タンクに内装された粒状或いは顆粒状のイオン交換樹脂を有するので、好ましい実施形態では、所要の時期に、投入可能な塩と送水ポンプ１１から送られてくる飲料水によって前記再生用タンク内で再生水（塩水）を生成し、前記イオン交換樹脂を所要時間（例えば４０分）再生（塩漬け状態：洗浄）する。なお、特に図示しないが、再生後の硬度成分を含む処理水は、飲料水貯留部９内の飲料水を利用して筐体１の外に排出される。
【００２５】
次に１３は軟水生成部１２に接続する方向制御弁（三方切り替弁）で、この方向制御弁１３の一方の出口には第１出口部１４に軟水を送る軟水供給ライン（配管）Ｌ１が設けられ、これに対して、該方向制御弁１３の他方の出口には、軟水を温水にするヒータを備える加熱部１５を有し、かつ、該加熱部１５の温水を複数の第２出口部１６、１６にそれぞれ送る温水供給ライン（配管）Ｌ２、Ｌ２が設けられている。前記加熱部１５の加熱は制御部１８で制御され、該加熱部１５の温水は適温（例えば４０度）になるように制御される。
【００２６】
しかして、温水用蛇口（栓部材）を有する第２出口部１６の一方には、シャワーヘッド２４ａを有する可撓性ホース２４の基端部が一体的に取付けられている。また他方の温水用蛇口（栓部材）を有する第２出口部１６から出る温水は、筐体１の外に設置された浴槽２５に利用することができる。
【００２７】
そして、実施形態では、前記シャワーヘッド２４ａ或いは可撓性ホース２４の一部を掛けることができるように配管の一部がケース本体１ａの一側壁から間隙を有する状態で略下向きコ字形状又は下向きＵ字形状に突出している（図２参照）。
【００２８】
ところで、図１には示していないが、前記軟水生成部１５の下流側、望ましくは軟水供給ラインＬ１には最後の浄水処理部３６が設けられ、この_Hlk504731030最後の浄水処理部３６_Hlk504731030は、例えば前述した方向制御弁（三方切り替弁）１３の下流側に設けた第１浄水部材（有機物除去用活性炭、ミネラル水生成用サンゴ、麦飯石、粒状のチタン、トルリマン鉱石など）と、これに接続する第２浄水部材（有機物除去用中空糸膜）とから成る。
【００２９】
１７は大容量の蓄電池で、この蓄電池１７は筐体１内に適宜に配設され、少なくとも船に設置された太陽電池モジュール又は発電機のいずれか一方から電気を取得する。
【００３０】
上記構成に於いて、船用海水淡水化装置Ｘは、図示しない手押し式台車又はキャスターを介して甲板、浴槽付近などの所望する場所に設置する。そこで船用海水淡水化装置Ｘから得ることができる美味しい飲料水は、運搬可能な飲料水タンクや容器に入れられる。一方、船用海水淡水化装置Ｘから出る温水は、船員等がシャワーヘッド２４ａを利用して浴びることができる。実施形態では、軟水生成部１２で軟水化された飲料水が加熱部１５で適温状態に温められる。
【００３１】
すなわち、軟水生成部１２で軟水化された飲料水は、（ａ）飲料水と、（ｂ）温水に利用される。いずれの態様の場合であっても、飲用水貯留部９及び軟水生成部１２を介して飲料水を二系統の配管でそれぞれ利用する。
【００３２】
ここで本発明の特徴事項を説明すると、特許文献１の図１に記載されているように、「少なくとも船から海水を汲み上げる取水ポンプ３を介して該海水を濾過する最初の浄水処理部４と、この最初の浄水処理部で処理された一次処理水を、高圧ポンプ５を介して淡水化する淡水生成部６と、この淡水生成部で淡水にされた二次処理水を飲料水として貯める飲料水貯留部９を備える船用海水淡水化装置」は公知である。
【００３３】
本発明は、前記公知発明を前提として、海水淡水化装置を手押し式台車又はキャスター２のいずれかを介して移動可能な筐体１に設け、また飲料水貯留部９の下流側に送水ポンプ１１を介して飲料水を軟水化する軟水生成部１２と、この軟水生成部に方向制御弁１３を介して栓部材を有する第１出口部に軟水を送る軟水供給ラインＬ１と、軟水を温水にする加熱部１５を有しかつ該加熱部の温水を、栓部材を有する第２出口部に送る少なくとも一つの温水供給ラインＬ２をそれぞれ設け、さらに、海水淡水化装置Ｘは、高圧ポンプ５、送水ポンプ１１、方向制御弁１３をそれぞれ制御する制御部１８を有する。
【００３４】
しかして、前記軟水生成部１２には、イオン交換樹脂を再生（洗浄）時、粒が比較的大きい工業用の塩を投入することができ、この投入可能な塩と飲料水貯留部９を下流側の送水ポンプ１１から送られてくる飲料水によって再生水（塩水）を生成し、前記イオン交換樹脂を再生用タンク内で再生（洗浄）することができる。そして、軟水生成部のイオン交換樹脂を再生した後、飲料水貯留部９に貯留されている飲用水を、前述したように、再び（ａ）美味しい飲料水と、（ｂ）温水用にそれぞれ利用することができる。
【００３５】
最後に図４は、第１実施形態の構成に「逆浸透膜洗浄処理部３０」の構成を加味した第２実施形態の説明図である。この第２実施形態の課題は、淡水生成部６を構成する複数の逆浸透膜手段６ａ、６ｂの自動ローテンションを可能にすることである。
そこで、図４の上方にブロックで示した洗浄液貯留タンク３１の右側を洗浄水用の入口側（一次）とすると、該洗浄液貯留タンク３１の左側は洗浄水（実施形態では飲料水を利用）の出口側（二次）である。
【００３６】
したがって、符号ｂ１は洗浄水の出口側の制御弁となる。前記制御弁ｂ１と前記洗浄液貯留タンク３１の間には制御部１８で、所定或いは所要の時期に駆動制御される洗浄ポンプ３２が設けられ、２本の高圧容器Ｔ１、Ｔ１のいずれか一方がその洗浄時期になると、前記洗浄ポンプ３２が所定時間駆動する。その結果、前記洗浄液貯留タンク３１の洗浄水が高圧容器Ｔ１に送られる。
【００３７】
なお、図４には多数の制御弁が適宜箇所に設けられているが、ここでは、便宜上、高圧ポンプ５側に設けた一次処理水の入口側の制御弁を「ａ」とし、一方、高圧容器Ｔ１のＲＯ膜を通過した飲料水を飲料水貯留部９側に送る側の制御弁を「ｂ」として区別する。
前記制御弁ａ、ｂは、制御部１８の記憶部に格納された制御プログラム及びタイマーに基づき、選択的に利用される。したがって、複数の逆浸透膜手段６ａ、６ｂのいずれか一方を洗浄するときには、他方の逆浸透膜手段をそのまま使用することができる_Hlk504303868。_Hlk504303868逆浸透膜手段６ａ、６ｂを洗浄した洗浄水は、例えば切り替弁７を介して排出管７から筐体１の外に排出される。
【産業上の利用可能性】
【００３８】
本発明は、船に搭載し、海水を淡水化する装置として利用することができる。
【図１】
2019150424.tif 000003
【図２】
2019150424.tif 000004
【図３】
2019150424.tif 000005
【図４】
2019150424.tif 000006
【国際調査報告】
2019150424.tif 000007
2019150424.tif 000008
2019150424.tif 000009
2019150424.tif 000010